(57)【要約】【課題】  捺染用に幅広く展開できる新規なデジタル意匠図案を提供する。【解決手段】 絣紐２を使用することに特徴を有するもので、任意の割付形状を作図し、絣紐２を布帛１上に、前記割付形状に対応するように、縫い付けて割付柄３を作成し、  上記割付柄を、デジタル画像として、コンピュータに入力し、  入力された割付柄の上記絣紐で描かれた枠内に、表現しようとする他の入力画像４を填め込み、トリミングして、上記絣紐２で割付された意匠図案とする。  絣紐の縫い付けは、厚地の布帛上に一筆書きの状態でなされるのがよい。【選択図】 図４
2005139562.tif 000002
【特許請求の範囲】
【請求項１】
任意の割付形状を作図し、絣糸からなる絣紐を布帛上に、前記割付形状に対応するように、縫い付けて割付柄を作成し、
上記割付柄を、デジタル画像として、コンピュータに入力し、
入力された割付柄の上記絣紐で描かれた枠内に、表現しようとする他の入力画像を填め込み、トリミングして、上記絣紐で割付された意匠図案としたものであることを特徴とする捺染用意匠図案。
【請求項２】
前記絣紐の縫い付けが、厚地の布帛上に一筆書きの状態でなされたものである請求項１の捺染用意匠図案。
【請求項３】
求めようとする割付柄を原寸大に一筆書きの模様状に作図し、絣紐を上記模様に従って、厚地の布帛上に、機械的に縫付け、完成した絣紐割付柄を、デジタル画像として入力し、各割付柄の枠の中に填め込む柄や映像を用意して、前記デジタル画像の中に取り込み、マスキングして、接合部分をトリミングして、新たなデジタル画像とすることを特徴とする捺染用意匠図案の製造方法。
【発明の詳細な説明】
【技術分野】
【０００１】
本発明は、絣糸からなる紐を使用して、割付柄を作成した新規な捺染用意匠図案に関する。
【背景技術】
【０００２】
従来の染色法における割付柄の作成方法としては、下記のものが使用されている。
１．筆、ペンによる手描表現手法
２．蝋の手描表現手法
３．絞染加工の手法
４．画像Ａと画像Ｂの貼り合わせ手法
これらの手法は、絞染加工を除いて総てが平面的で、染色業界では、あまりにも通俗的であり、意匠表現に新規性を求まることは不可能である。また、絞染加工の手法は加工費が高価で、一般染物業界には適合しない。
【０００３】
別途、ＩＣ業界のデジタル化に伴って染色写真型業界の型製作技術の発展は目に余るものがある。それに比べて染織意匠作家の世界は愕くほど旧態然としている。
例えば、特許文献１のように、原画をデジタル化して、布帛上の下絵を描くことは、広く試みられており、染型製作の技術もデジタル化されているのに、このような技術に見合う新規な染色図案（又は原画）は皆無である。ＩＣの世界では、１があればソフトの開発によって１００〜１０００と発展させることが可能であるが、０からの発想は不可能である。
【特許文献１】特開２００１−３２２３１６号公報
【発明の開示】
【発明が解決しようとする課題】
【０００４】
本発明は、０からの発想を可能とする新規なデジタル意匠図案の提供することを課題とする。
【課題を解決するための手段】
【０００５】
本発明では、絣紐を使用して割付柄を作成することにより、上記課題を解決した。絣紐で表現された割付柄の意匠効果は、その色の変化はもとより縫形状の変化によって、立体的表現効果を伴う、多様な意匠図案の提供を可能とするものであり、染物史上初の製品として、低迷している染織業界に画期的な貢献をもたらすものである。
【０００６】
すなわち、本発明の捺染用意匠図案は、任意の割付形状を作図し、絣糸からなる絣紐を布帛上に、前記割付形状に対応するように、縫い付けて割付柄を作成し、
上記割付柄を、デジタル画像として、コンピュータに入力し、
入力された割付柄の上記絣紐で描かれた枠内に、表現しようとする他の入力画像を填め込み、トリミングして、上記絣紐で割付された意匠図案としたものである。
【０００７】
特に前記絣紐の縫い付けは、厚地の布帛上に一筆書きの状態でなされたものとすることで、非常に作業性よく、安定して、妙味ある割付柄を作成できる。
【０００８】
例えば、本発明では、下記のような工程で絣紐割付柄を作成する。
１．求めようとする割付柄を規定に従って原寸大に一筆書きの模様状に作図する。
２．絣紐を作図した模様に従って、電子ハンドル刺繍機の規定に従ってパンチングし、縫い形状をデジタル入力する。
３．絣紐の縫い付けは、厚地の布帛上に一筆書きの状態に縫い付ける。縫い付ける布帛は白地又は黒地とする。
４．完成した割付柄はカメラでデジタル入力するため、皺や凹凸感を避けるため厚地の布帛を容易するのが好ましい。
５．紐状の縫い付け方法は、縫いピッチ３ｍｍ〜４ｍｍで、千鳥縫いとするのが、完成時のボリューム感の点から好ましい。
６．白地の布帛には、黒の絣紐（白糸と黒糸の割合が４０：６０〜２０：８０）を使用するのが好ましく、また、黒地の布帛には、白の絣紐（白糸と黒糸の割合が８０：２０〜６０：４０）を使用するのが好ましい。
７．完成した絣紐割付柄はカメラでスキャナーを施し、デジタル信号に変化し、デジタル画像として入力する。
【０００９】
次に、このようにしてデジタル画像として入力された絣紐割付柄に、所望の画像（独自に描いた図案、写真など）を組み合わせて、新規な種々の意匠図柄が構成される。
入力される画像は、絣紐割付柄の絣紐で描かれた枠内に、填め込み、絣紐で縁取られるように、トリミングして、仕上げればよい。
【発明の効果】
【００１０】
本発明では、絣紐を使用した割付柄に、所望の図柄を組み込んで、変化に富んだ多種多様の意匠図柄を形成できる。また、絣紐の割付柄を使用するため、意匠図柄全体が、自然で、立体的な外観となり、非常に落ち着いたものとなる。
更に、個々の図柄が、自然な絣紐の割付柄で区分けされて存在するため、多様な図柄を同一画面に存在させても、全体に違和感なく、一つのまとまった意匠図柄となしうるのである。
なお、絣紐の割付柄を準備しておけば、コンピュータを利用して、所望の図柄を任意に組み合わせていくだけで、作業性よく、新規な意匠図柄を次々と作成することが可能となる。
【発明を実施するための最良の形態】
【００１１】
図面に従って、本発明の実施例について説明する。
１．この例では、スカーフ用に１ｍ×１ｍの画面に、一筆描きによって、実物大の大きさで求めようとする割付柄を描く。
２．上記柄をデジタル信号に変換し、電子ハンドルミシンの縫付形状にデジタル画像としてフレキシブルディスクに入力する。この場合、運針送幅（ピッチ）は３〜３．７ｍｍとし、縫形状は千鳥縫いとする。
３．複数本の絣染めの糸で絣紐を形成する。ここでは、２１中７本の７２番手の糸３本取りでリリアン編機６本針で編み上げた。
４．電子ハンドル刺繍機を用いて、白色の布帛１上に黒の絣紐２を縫い付けて割付柄３を形成した（黒地の布帛には白の絣紐を適用する）（図１、図２）。なお、この場合、割付柄の平面が皺にならないように厚地の布帛を使用した（ここでは、東レ社製のテトエース（登録商標）ＳＳ２１００、スーパーツイル、ポリエステル１００％を使用した）。
５．形成された絣紐割付柄を、カメラでスキャナーして、デジタル信号に変換して、デジタル画像としてフレキシブルディスクに入力する。
６．デジタル画像として入力された絣紐割付柄の現物の大きさの設計図面を作製する。
７．各割付柄の枠の中に填め込む画像４（図３）を複数用意して適合し、前記デジタル画像の中に取り込み、マスキングして、接合部分をトリミングして、新たなデジタル画像としてフレキシブルディスクに入力する。
８．このようにして得たデジタル意匠図案（図４）に基づき、染写真型の製作技術で必要とする染型を作製する。
９．完成した染型を使用して絣紐割付染めを実施する。この場合、オートスクリーン（７０００）を使用する。染め上げる製品は１ｍ×１ｍのスカーフで、スカーフの素材はポリエステルシホンである。
10．染め上げる前にデジタル意匠図柄をカラーの状態で見るためにはインクジェット方式のデジタルプリントで見ることができる。
【図面の簡単な説明】
【００１２】
【図１】本発明の割付柄の一例を示す平面図である。
【図２】図１の割付柄の要部拡大図である。
【図３】図１の例の割付柄に組み合わせる映像の例を示す
【図４】図１の割付柄に図３の映像を填め込んだ意匠図柄の一例を示す平面図である。
【符号の説明】
【００１３】
１  布帛
２  絣紐
３  割付柄
４  画像
【図１】
2005139562.tif 000003
【図２】
2005139562.tif 000004
【図３】
2005139562.tif 000005
【図４】
2005139562.tif 000006